(57)【要約】【課題】取り付けた本からズレない仕組みを備えるブックカバーを提供する。【解決手段】矩形状のシート材１２で形成され、上下の長辺部１３ａ、１３ｂと両端の短辺部１４ａ、１４ｂとを有するブックカバー１１であって、一方の短辺部１４ａ側は、シート材１２を適宜幅内側に折り曲げて、当該折り曲げた部位２０の上下の縁部２０ａ、２０ｂを接着して袋状部２２が形成され、他方の短辺部１４ｂは、上下の角部が切り欠かれて切欠部２３、２３が形成され、シート材１２の内側面における他方の短辺部１４ｂ側には、第１滑り止め部２４が形成され、他方の短辺部１４ｂを内側に折り曲げた時に第１滑り止め部２４が当接するシート材１２の内側面には、第２滑り止め部２５が形成され、上下の長辺部１３ａ、１３ｂに渡って、折り曲げた他方の短辺部１４ｂを挿通させて保持する保持バンド２６が設けられている。【選択図】図１
0003161913.tif 000002
【実用新案登録請求の範囲】
【請求項１】
矩形状のシート材で形成され、上下の長辺部と両端の短辺部とを有するブックカバーであって、
一方の短辺部側は、前記シート材を適宜幅内側に折り曲げて、当該折り曲げた部位の上下の縁部を接着して袋状部が形成され、
他方の短辺部は、上下の角部が切り欠かれて切欠部が形成され、
前記シート材の内側面における他方の短辺部側には、第１滑り止め部が形成され、
他方の短辺部を内側に折り曲げた時に前記第１滑り止め部が当接する前記シート材の内側面には、第２滑り止め部が形成され、
前記上下の長辺部に渡って、前記折り曲げた他方の短辺部を挿通させて保持する保持バンドが設けられていること
を特徴とするブックカバー。
【請求項２】
滑り止め部は、プリント加工が施されていること
を特徴とする請求項１に記載のブックカバー。
【請求項３】
上部の長辺部には、しおり紐が設けられていること
を特徴とする請求項１に記載のブックカバー。
【考案の詳細な説明】
【技術分野】
【０００１】
本考案は、ブックカバーに関するものであり、更に詳しくは、取り付けた本からズレない仕組みを備えるブックカバーに関するものである。
【背景技術】
【０００２】
従来のブックカバーとしては、次のような構成のものが知られている。このブックカバーは、矩形状に形成されたカバー本体の上下両端部及び左右両端部が任意幅折り曲げ自在に形成され、当該折り曲げる部位の内側に複数の面ファスナーが設けられた構成である（特許文献１参照）。
【０００３】
このような構成のブックカバーは、本のサイズに合わせてカバー本体の上下両端部及び左右両端部を折り曲げ、この折り曲げた部位を面ファスナーで留めてサイズ合わせを行い、そして、本の表紙から背表紙を介して裏表紙に沿わして折り曲げる。
【先行技術文献】
【特許文献】
【０００４】
【特許文献１】特開２００４−９８６６５号公報
【考案の概要】
【考案が解決しようとする課題】
【０００５】
この従来例のブックカバーにおいては、本の表紙から背表紙を介して裏表紙に沿わせた状態で使用するので、取り付けた本からズレやすくて厄介であるという問題点を有している。
【０００６】
特に読書中においては、本を広げた状態にするので、ブックカバーと本との間に隙間が生じていっそうズレやすくなり、この場合は不快感が著しいものである。
【０００７】
従って、従来例におけるブックカバーにおいては、取り付けた本からズレない仕組みを備えることに解決しなければならない課題を有している。
【課題を解決するための手段】
【０００８】
前記従来例の課題を解決するための本考案の要旨は、矩形状のシート材で形成され、上下の長辺部と両端の短辺部とを有するブックカバーであって、一方の短辺部側は、前記シート材を適宜幅内側に折り曲げて、当該折り曲げた部位の上下の縁部を接着して袋状部が形成され、他方の短辺部は、上下の角部が切り欠かれて切欠部が形成され、前記シート材の内側面における他方の短辺部側には、第１滑り止め部が形成され、他方の短辺部を内側に折り曲げた時に前記第１滑り止め部が当接する前記シート材の内側面には、第２滑り止め部が形成され、前記上下の長辺部に渡って、前記折り曲げた他方の短辺部を挿通させて保持する保持バンドが設けられていることである。
【０００９】
また、前記滑り止め部は、プリント加工が施されていること、；
前記上部の長辺部には、しおり紐が設けられていること、；
を含むものである。
【考案の効果】
【００１０】
本考案に係るブックカバーによれば、第１滑り止め部と第２滑り止め部とが本の裏表紙（又は表紙）を挟持した状態で保持する。即ち、第１滑り止め部は裏表紙の裏面側に当接させ、第２滑り止め部は裏表紙の表面側に当接させるので、両方の滑り止め部が、裏表紙の表裏両面をダブルで挟んで保持することとなり、ブックカバーが取り付けた本からズレないのである。
折り曲げた他方の短辺部は、保持バンドを挿通して保持されるので、裏表紙が両方の滑り止め部の間にシッカリと保持される。
他方の短辺部は上下に切欠部が形成されているので、他方の短辺部を保持バンドに挿通しやすいという種々の優れた効果を奏する。
【００１１】
また、滑り止め部は、プリント加工が施されていることによって、滑り止めとしての機能が極めて高いという優れた効果を奏する。
【００１２】
そして、上部の長辺部には、しおり紐が設けられていることによって、本の読みかけの頁にしおり紐を挟むことができるので便利であるという優れた効果を奏する。
【図面の簡単な説明】
【００１３】
【図１】本考案に係るブックカバー１１の内側を示す平面図である。
【図２】本考案に係るブックカバー１１の折り曲げた状態を説明する斜視図である。
【考案を実施するための形態】
【００１４】
次に、本考案の実施の形態について図面を参照しながら説明する。まず、図１において、符号１１はブックカバーを示し、このブックカバー１１は、矩形状のシート材１２で形成され、上下に位置する長辺部１３ａ、１３ｂと、両端に位置する短辺部１４ａ、１４ｂとを有している。
【００１５】
ブックカバー１１の寸法は、一例を上げると、文庫本サイズに対応させる場合は、高さ方向が約１６５ｍｍ程度であり、幅方向が約３１５ｍｍ程度であることが望ましい。なお、種々な規格の本の大きさに対応させて、高さ方向及び幅方向を様々な寸法に形成してもよいことは勿論である。
【００１６】
シート材１２は、具体的には合成樹脂製のシート材、あるいは不織布、布、紙材等の、適宜に折り曲げて使用できるシート状の材料である。
【００１７】
シート材１２は、４辺の縁部を内側に折り返して折返し片１５、１６、１７、１８を形成し、この折返し片１５、１６、１７、１８がそれぞれ糸でシート材１２の内側に縫着（接着）されている。なお、図中符号１９はミシン目を示す。
【００１８】
一方の短辺部１４ａ側は、シート材１２を適宜幅内側に折り曲げて、当該折り曲げ部位２０の上下の縁部２０ａ、２０ｂを糸２１、２１で縫着して袋状部２２が形成されている。この袋状部２２は、本の表紙（又は裏表紙）を挿入する部位である。
【００１９】
他方の短辺部１４ｂは、上下の角部が切り欠かれて切欠部２３、２３が形成されている。従って、短辺部１４ｂの長さは、高さ方向の長さよりも短寸に形成されるので、後述する保持バンド２６に挿通しやすいこととなる。
【００２０】
シート材１２の内側面における他方の短辺部１４ｂ側には、第１滑り止め部２４が形成されている。
【００２１】
また、他方の短辺部１４ｂを内側に折り曲げた時に、第１滑り止め部２４が当接するシート材１２の内側面には、第２滑り止め部２５が形成されている。
【００２２】
滑り止め部２４、２５は、具体的には、プリント加工が施されている。このプリント加工は、特に発泡プリント加工やラバープリント加工等の滑り止め効果を有するプリント加工であることが望ましい。発泡プリント加工は、アクリル樹脂やポリウレタン樹脂に対して、所定の発泡剤等を混合してシート材１２に付着させると共に、所定の熱処理を施すことによって発泡剤が膨張するプリント加工方法であって、高い滑り止め機能を有する。
【００２３】
上下の長辺部１３ａ、１３ｂに渡って、保持バンド２６が設けられている。保持バンド２６は、折り曲げた他方の短辺部１４ｂを挿通させて保持する部位であり、この保持バンド２６の存在によって、両方の滑り止め部２４、２５の間に裏表紙がシッカリと保持されることとなる。
【００２４】
上部の長辺部１３ａには、しおり紐２７が設けられている。しおり紐２７は、本の読みかけの頁に挟むことができるので便利である。
【００２５】
次に、以上のように構成されるブックカバー１１の本（図せず）への取付状態について説明する。袋状部２２に本の表紙（又は裏表紙）を挿入し、ブックカバー１１を背表紙を介して裏表紙（又は表紙）に渡って取り付ける。そして、ブックカバー１１の他方の短辺部１４ｂ側を、裏表紙（又は表紙）の先端部に合わせて内側に折り曲げると共に、短辺部１４ｂを保持バンド２６に挿通することによって、ブックカバー１１を本に取り付ける。
【００２６】
このようにして本に取り付けたブックカバー１１は、第１滑り止め部２４と第２滑り止め部２５とが本の裏表紙（又は表紙）を挟持した状態で保持する。つまり、第１滑り止め部２４は裏表紙の裏面側に当接させ、第２滑り止め部２５は裏表紙の表面側に当接させるので、両方の滑り止め部２４、２５が、裏表紙の表裏両面をダブルで挟んで保持することとなり、ブックカバー１１が取り付けた本からズレないのである。
【符号の説明】
【００２７】
１１  ブックカバー
１２  シート材
１３ａ、１３ｂ  長辺部
１４ａ、１４ｂ  短辺部
１５、１６、１７、１８  折返し片
１９  ミシン目
２０  折り曲げ部位
２０ａ、２０ｂ  縁部
２１  糸
２２  袋状部
２３  切欠部
２４  第１滑り止め部
２５  第２滑り止め部
２６  保持バンド
２７  しおり紐
【図１】
0003161913.tif 000003
【図２】
0003161913.tif 000004